(57)【特許請求の範囲】
【請求項１】
回線網に接続された複数の低速側線路に備えられた回線終端装置と、
前記回線終端装置に接続されて前記回線網と接続されるとともに、高速側線路によって端末側と接続され、前記低速側線路から送信されてくるデータを時分割多重化して前記端末側へ出力するとともに、前記端末側から入力される時分割多重化されたデータを前記低速側線路に分配する回線接続装置を備え、
前記回線接続装置は、前記回線終端装置のＴ点から得られるクロックを前記端末側に出力して同期クロックとして用いるとともに、前記網側へ出力し、前記低速側から入力されるクロックに従属して同期通信を行うことを特徴とする伝送装置。
【請求項２】
前記回線接続装置は、前記Ｔ点から得られるクロックが断であるか否かを判断するクロック断検出回路と、
クロックを発生するクロック発生手段と
を備え、当該クロック断検出回路が、前記クロックが断であると判断した場合に、前記クロック発生手段から発生されたクロックを、前記端末側に出力して同期クロックとして用いるとともに、前記網側へ出力し、前記低速側から入力されるクロックに従属して同期通信を行うことを特徴とする請求項１記載の伝送装置。
【請求項３】
前記回線接続装置は、複数の前記回線終端装置が備えられた低速側線路を選択する選択手段を備えることを特徴とする請求項１又は請求項２記載の伝送装置。
【発明の詳細な説明】
【０００１】
【発明の属する技術分野】
本発明は、伝送装置に係り、特に端末側の複数の分岐線路から送信されるデータを時分割多重化して網側に伝送するとともに、網側から送信される多重化されたデータを分岐して端末側に送信する伝送装置に関する。
【０００２】
【従来の技術】
まず、従来の伝送装置について説明する。
図４は、従来の伝送装置の接続状態を示す全体図である。
図４において、１０は局側装置であり、交換設備１２、無線装置１４、及び回線接続装置１６からなる。
交換設備１２と回線接続装置１６との間で授受されるデータは、時分割多重化されたデータである。
【０００３】
上記交換設備１２は交換器等を備えた設備であり、無線装置１４から送出される時分割多重化されたデータを受け、このデータに含まれる送信先情報に基づいて送信先へ分配するとともに、基地局２４−１〜２４−ｎ宛のデータを集めて無線装置１４へ送出する。
無線装置１４は、少なくとも２つの無線送受信装置を有し（図示省略）、無線でデータの授受を行う。
【０００４】
回線接続装置１６は、無線接続装置１４に接続されているとともに、複数の分岐路１７−１〜１７−ｎが接続されており、無線装置１４から送出されてくる時分割多重されたデータを分岐して、分岐路１７−１〜１７−ｎに送出する。また、回線接続装置１６は、各分岐路１７−１〜１７−ｎから送出されてくるデータを時分割多重し、無線装置１４へ出力する。
【０００５】
２０−１〜２０−ｎは上記分岐路１７−１〜１７−ｎ各々に設けられたＤＳＵ（回線終端装置）である。各分岐路１７−１〜１７−ｎは、回線網２２に接続されている。また、回線網２２には、複数の基地局２４−１〜２４−ｎが接続されている。
基地局２４−１〜２４−ｎは、例えば携帯電話やＰＨＳ等の移動体端末との間のデータを授受するためのものである。移動体端末がビルの影等にある場合、移動体端末が発する電波が基地局２４−１〜２４−ｎに届かなかったり、逆に基地局２４−１〜２４−ｎから出力される電波が移動体端末に届かなかったりする不具合がある。
上述の回線網２２は、基地局２４−１〜２４−ｎと回線接続装置１６との距離が所定の距離以上の場合、上記の不具合を解消するために設けられる。
【０００６】
上記構成において、データの授受は同期方式を用いて行われる。つまり、局側装置１０内では、データ授受は、交換設備１２内で用いられる同期クロックに同期して行われる。また、回線網２２においても、同期通信を行うためのクロックが用いられる。
交換設備１２内で用いられるクロックの位相と回線網２２へ供給されるクロックの位相が異なる場合にはデータが同期して正常に通信が行われないので、これらのクロックは同じクロックが用いられる。
【０００７】
【発明が解決しようとする課題】
ところで、上述した従来の伝送装置においては、図４に示したように交換設備１２、無線装置１４、及び回線接続装置１６は局側装置１０に設けられており、端末側がＤＳＵ２０−１〜２０−ｎを介して回線網２２に接続されている場合には、回線網２２からのクロック（Ｔクロック：ディジタル回線終端装置の出側（Ｔ点）に現れるクロック）を用いることができないため、交換設備１２からのクロック（ＤＣＳクロック又はライン抽出クロック）に従属する同期方式を使用せざるを得ない。
また、上記Ｔクロックを用いることができないため、回線網２２からＤＳＵ２０−１〜２０−ｎを介して回線接続装置１６の低速側に接続し、高速側に移動携帯端末用の基地局を接続する形態を実現することはできなかった。
【０００８】
本発明は上記事情に鑑みてなされたものであり、回線接続装置の高速側及び低速側の何れからでも通信に必要な同期クロックが得られ、種々の用途に適用できる伝送装置を提供することを目的とする。
【０００９】
【課題を解決するための手段】
上記課題を解決するために、本発明は、回線網に接続された複数の低速側線路に備えられた回線終端装置と、前記回線終端装置に接続されて前記回線網と接続されるとともに、高速側線路によって端末側と接続され、前記低速側線路から送信されてくるデータを時分割多重化して前記端末側へ出力するとともに、前記端末側から入力される時分割多重化されたデータを前記低速側線路に分配する回線接続装置を備え、前記回線接続装置は、前記回線終端装置のＴ点から得られるクロックを前記端末側に出力して同期クロックとして用いるとともに、前記網側へ出力し、前記低速側から入力されるクロックに従属して同期通信を行うことを特徴とする
また、本発明は、前記回線接続装置が、前記Ｔ点から得られるクロックが断であるか否かを判断するクロック断検出回路と、クロックを発生するクロック発生手段とを備え、当該クロック断検出回路が、前記クロックが断であると判断した場合に、前記クロック発生手段から発生されたクロックを、前記端末側に出力して同期クロックとして用いるとともに、前記網側へ出力し、前記低速側から入力されるクロックに従属して同期通信を行うことを特徴とする。
また、発明は、前記回線接続装置が、複数の前記回線終端装置が備えられた低速側線路を選択する選択手段を備えることを特徴とする。
【００１０】
【発明の実施の形態】
以下、図面を参照して本発明の一実施形態による伝送装置について詳細に説明する。
図１は、本発明の一実施形態による伝送装置の接続状態を示す全体図である。
【００１１】
図１において、５０は回線網であり、図４中の回線網２２と同様のものである。回線網５０内においては、ＤＣＳクロックが用いられ、このクロックに同期してデータが伝送される。回線網５０は、ビル内装置６０と複数の線路で接続されている。
ビル内装置６０は、ＤＳＵ６２−１〜６２−ｎ、回線接続装置６４、大容量基地局６６、基地局６８−１〜６８−ｎからなる。
【００１２】
ＤＳＵ６２−１〜６２−ｎは、回線網２２に接続される複数の線路各々に設けられており、これらＤＳＵ６２−１〜６２−ｎが設けられた各々の線路は、回線接続装置６４の低速側に接続されている。
尚、ＤＳＵ６２−１〜６２−ｎと回線接続装置６４との間がＴ点である（図１中符号Ｔが付された点）。尚、図１中においては、ＤＳＵ６２−１と回線接続装置６４との間のＴ点のみを図示しており、他のＴ点（例えばＤＳＵ６２−２と回線接続装置６４との間のＴ点等）は図示を省略している。
【００１３】
６６は、回線接続装置６４と接続された大容量基地局であり、時分割多重化されたデータを回線接続装置６４との間で授受する。また、大容量基地局６６には、基地局６８−１〜６８−ｎが接続されており、回線接続装置６４から送出された時分割多重化されたデータを各基地局６８−１〜６８−ｎに分配するとともに、各基地局６８−１〜６８−ｎから出力されるデータを時分割多重して回線接続装置６４に送出する。
【００１４】
図４に示した従来の技術においては、回線接続装置１６の高速側に供給されるクロックに同期して通信が行われていたが、図１に示した本発明の一実施形態においては、低速側から供給されるクロック（ＤＣＳクロック、ライン抽出クロック）を用いて同期通信が行われる。
次に、図１に示した形態を実現可能とした回線接続装置６４について詳細に説明する。
【００１５】
図２は、回線接続装置６４の機能を示した機能ブロック図である。
いま、回線接続装置６４は回線網５０側とｎ本の線路によって接続され、大容量基地局６６と１本の線路によって接続されている場合を考える。
回線接続装置６４は、機能別に構成を分類すると、ｎ：１クロック選択回路６４ａ、クロック断検出回路６４ｂ、及びクロック選択スイッチ回路６４ｃを有する。
【００１６】
ｎ：１クロック選択回路６４ａは、回線網５０側に接続されたｎ本の線路から１本の線路を選択する回路である。１本の線路を選択することにより、ＤＳＵ６２−１〜６２−ｎと回線接続装置６４との間の複数のＴ点から１つのＴ点を選択したこととなる。従って、これにより１つのＴクロックを選択したことになる。
クロック断検出回路６４ｂは、ｎ：１クロック選択回路６４ａが選択したＴ点クロックが断となったか否かを判断するものである。クロックが断と検出される場合は、例えば、その線路にデータが何等伝送されなくなった場合等がある。
【００１７】
クロック選択スイッチ回路６４ｃは、ｎ：１クロック選択回路６４ａを制御して、入力されるクロックを選択するものである。つまり、回線接続装置６４には、ｎ個のＤＳＵ６２−１〜６２−ｎのＴ点クロックが入力されており、この中の何れを選択するかを制御する。
回線接続装置６４は、内部にクロック発生装置（図示省略）を備えており、クロック断検出回路６４ｂがクロック断を検出した場合には、クロック選択スイッチ回路は、クロック発生装置から発生されるクロックを選択する。
【００１８】
図３は回線接続装置６４の具体的な構成を示すブロック図である。
図３において、回線接続装置６４は、ｎ：１セレクタ８０、クロック断検出回路８２、ＰＬＬ回路８４、ＡＮＤ回路８６，８８、及びＯＲ回路９０からなる。
ｎ：１セレクタ８０は、図２中のｎ：１クロック選択回路６４ａ及びクロック選択スイッチ回路６４ｃに相当し、クロック断検出回路８２は図２中のクロック断検出回路６４ｂに相当する。
【００１９】
ＰＬＬ回路８４は、回線接続装置６４内に設けられる前述したクロック発生装置である。また、ＡＮＤ回路８６は、ＰＬＬ回路８４から出力されるクロック又は網側から供給されるクロックの何れかを出力する。
ｎ：１セレクタ８０には、網側からＴクロックＴCLK＃１〜ＴクロックＴCLK＃ｎが入力され、これらのＴクロックから１つを選択する。クロック断検出回路８２はｎ：１セレクタ８０によって選択されたクロックが断となったか否かを判断する。
【００２０】
クロック断検出回路８０は、クロックが断となっていないと判断した場合には、ＡＮＤ回路８６に対してハイレベルの信号を出力してＡＮＤゲート８６を開状態とするとともに、ＡＮＤ回路８８に対してローレベルの信号を出力してＡＮＤゲート８８を閉状態とする。
逆に、クロックが断となったと判断した場合には、ＡＮＤ回路８６に対してローレベルの信号を出力してＡＮＤゲート８６を閉状態とするとともに、ＡＮＤ回路８８に対してハイレベルの信号を出力してＡＮＤゲート８８を開状態とする。
【００２１】
また、クロック断検出回路８２は、クロックが断となった場合にＰＬＬ回路８４に対して検出信号を出力する。ＰＬＬ回路８４はこの検出信号が入力されると、クロックを発生する。
ｎ：１セレクタ８０の出力はＡＮＤ回路８６の入力端に接続され、ＰＬＬ回路８４の出力はＡＮＤ回路８８の入力端に接続されている。ＡＮＤ回路８６の出力端及びＡＮＤ回路８８の出力端はＯＲ回路９０の入力端に接続されている。
【００２２】
従って、クロック断検出回路８２がクロックの断を検出しない場合には、ｎ：１セレクタ８０から出力されるＴクロックがＯＲ回路９０から出力され、クロック断検出回路８２がクロックの断を検出した場合には、ＰＬＬ回路８４から出力されるクロックがＯＲ回路９０から出力される。
【００２３】
また、ＯＲ回路９０の出力は、端末側に出力されて同期クロックとして用いられるとともに、網側へ出力されて同期クロックとして用いられる。このように、回線接続装置６４から出力されるクロックは、網側及び端末側の両側において用いられる。
尚、ＯＲ回路９０の出力はＰＬＬ回路８４へ入力されており、ＡＮＤ回路８８が開状態である場合、つまりＰＬＬ回路８４から出力されるクロックが回線接続装置６４から出力される場合、フィードバックがかけられ、安定に発振が行われるようになっている。
【００２４】
以上の構成において、まず、例えば、ｎ：１セレクタ８０がＴクロックＴCLK＃１を選択した場合考える。
クロック断検出回路８２は、ＴクロックＴCLK＃１が断状態でないと判断すると、ＡＮＤ回路８６に対してはハイレベルの信号を出力してＡＮＤ回路８６を開状態とするとともに、ＡＮＤ回路８８に対してはローレベルの信号を出力してＡＮＤ回路８８を閉状態とする。
【００２５】
ＡＮＤ回路８６が開状態となると、ｎ：１セレクタ８０によって選択されたクロック、今の場合はＴクロックＴCLK＃１がＡＮＤ回路８６及びＯＲ回路９０を介して、回線接続装置６０から端末側へ出力されて同期クロックとして用いられる。また、網側へ出力されて同期クロックとして用いられる。
従って、Ｔクロックが選択された場合には、回線端末装置６４の低速側に入力されるクロックに従属して高速側が制御されることとなる。
また、ｎ：１セレクタ８０が選択を切り替えた場合は、選択されたＴクロックによって順次同期クロックが決定されることとなる。従って、同期クロックは、低速側から入力されるクロックの各々に従属する。
【００２６】
また、Ｔクロックが入力されている状態において、クロック断検出回路８２がクロックの断を検出した場合について説明する。
まず、クロック断検出回路８２がクロックの断を検出すると、クロック検出回路８２は、ＡＮＤ回路８６に対してローレベルの信号を出力してＡＮＤ回路８６を閉状態とするとともに、ＡＮＤ回路８８に対してハイレベルの信号を出力してＡＮＤ回路８８を開状態とする。更に、ＰＬＬ回路８４に対して検出信号を出力し、ＰＬＬ回路８４がクロックを発生するようにする。
【００２７】
以上の処理が終了すると、回線接続装置６４内のＯＲ回路９０からは、ＰＬＬ回路８４が発生するクロックが出力される。このクロックは、端末側へ出力されて同期クロックとして用いられるとともに、網側へ出力されて同期クロックとして用いられる。
このように、クロックが断となった場合には、回線接続装置６４が備えるＰＬＬ回路８４から出力されるクロックに、端末側及び網側が従属し、データの同期転送が行われる。
【００２８】
【発明の効果】
以上説明したように、本発明の伝送装置によれば、回線終端装置のＴ点から得られるＴ点クロックを同期クロックとして用いるようにしたため、回線接続装置の高速側及び低速側の何れからでも通信に必要な同期クロックが得られ、種々の用途に適用できるという効果がある。
例えば、回線網を低速側に接続し、高速側に移動携帯端末用の基地局を接続する形態が実現できるようになる。
【図面の簡単な説明】
【図１】  本発明の一実施形態による伝送装置の接続状態を示す全体図である。
【図２】  回線接続装置６４の機能を示した機能ブロック図である。
【図３】  回線接続装置６４の具体的な構成を示すブロック図である。
【図４】  従来の伝送装置の接続状態を示す全体図である。
【符号の説明】
５０    回線網
６２−１〜６２−ｎ    ＤＳＵ（回線終端装置）
６４                  回線接続装置
８０                  ｎ：１セレクタ（選択手段）
Ｔ                    Ｔ点
【図１】
0003903582.tif 000002
【図２】
0003903582.tif 000003
【図３】
0003903582.tif 000004
【図４】
0003903582.tif 000005